【手続補正書】
【提出日】平成24年10月10日(2012.10.10)
【手続補正１】
【補正対象書類名】明細書
【補正対象項目名】０１１１
【補正方法】変更
【補正の内容】
【０１１１】
【表４】
2010095721.tif 000001
表４の例は、大量の本発明に係るポリエーテルエステルポリオールを含むポリオール配合物を使用したときに、型中での短い滞留時間であっても、成形体の低い後膨れが確保され、かつ低い熱伝導率が達成されることを示す。
本発明の好ましい態様は、以下を包含する。
［１］Zerewitinoff活性水素原子を有する開始化合物(ａ)を、少なくとも１つのアルキレンオキシド(ｂ)と、第三アミンおよび所望により置換されたイミダゾールからなる群から選択される少なくとも１つのアミン(ｃ)の存在下および少なくとも１つの脂肪酸エステル(ｄ)の存在下に反応させることを含んでなる、第１のポリエーテルエステルポリオールの製造方法であって、
(ｄ)を、(ｂ)の計量添加前、添加中または添加後に添加し、成分(ｂ)の計量添加前に、第２のポリエーテルエステルポリオール(ｅ)を、成分(ａ)、(ｂ)、(ｃ)、(ｄ)および(ｅ)の合計重量を基準に３.０〜２０.０重量％の量で、成分(ａ)、(ｃ)および所望により(ｄ)と混合する方法。
［２］(ｅ)を、成分(ａ)、(ｂ)、(ｃ)、(ｄ)および(ｅ)の合計重量を基準に、３.０〜２０.０重量％の量で使用する［１］に記載の方法。
［３］(ｅ)を、成分(ａ)、(ｂ)、(ｃ)、(ｄ)および(ｅ)の合計重量を基準に、５.０〜１５.０重量％の量で使用する［１］に記載の方法。
［４］(ａ)が、６０〜４００℃の範囲内の融点を有するか、または６０〜４００℃の温度範囲において分解する［１］に記載の方法。
［５］(ａ)が、８０〜３００℃の範囲内の融点を有するか、または８０〜３００℃の温度範囲において分解する［１］に記載の方法。
［６］(ａ)が、９５〜２８０℃の範囲内の融点を有するか、または９５〜２８０℃の温度範囲において分解する［１］に記載の方法。
［７］(ａ)が、サッカロース、ペンタエリトリトール、ソルビトール、トリメチロールプロパン、ビスフェノールＦ、ビスフェノールＡ、１,３,５-トリヒドロキシベンゼン、ジアミノトルエンの異性体、ジアミノジフェニルメタンの異性体、ホルムアルデヒドとフェノール、メラミンまたは尿素のメチロール基含有縮合生成物、およびマンニッヒ塩基からなる群から選択される［１］に記載の方法。
［８］(ｂ)が、エチレンオキシド、プロピレンオキシド、１,２-ブチレンオキシド、２,３-ブチレンオキシド、およびスチレンオキシドからなる群から選択される［１］に記載の方法。
［９］(ｃ)が、Ｎ,Ｎ-ジメチルベンジルアミン、ジメチルアミノエタノール、ジメチルアミノプロパノール、Ｎ-メチルジエタノールアミン、トリメチルアミン、Ｎ,Ｎ-ジメチルシクロヘキシルアミン、Ｎ-メチルピロリジン、Ｎ,Ｎ,Ｎ',Ｎ'-テトラメチルエチレンジアミン、ジアザビシクロ[２,２,２]オクタン、１,４-ジメチルピペラジン、Ｎ-メチルモルホリン、未置換イミダゾール、およびアルキル置換されたイミダゾール誘導体からなる群から選択される［１］に記載の方法。
［１０］(ｄ)を、綿実油、落花生油、ヤシ油、アマニ油、パーム核油、オリーブ油、コーン油、パーム油、ヒマシ油、レスケレッラ油、ナタネ油、ダイズ油、ジャトロファ油、ヒマワリ油、ニシン油、イワシ油、または獣脂の形態で使用する［１］に記載の方法。
［１１］(ｄ)を、ラウリン酸、ミリスチン酸、パルミチン酸、ステアリン酸、パルミトレイン酸、オレイン酸、エルカ酸、リノール酸、リノレン酸、エレオステアリン酸またはアカリドン酸に基づく脂肪酸エステルの形態で使用する［１］に記載の方法。
［１２］(ｂ)の計量添加および(ｄ)の添加を同時に行うか、または初めに(ｂ)の計量添加を、計量導入する(ｂ)の合計量を基準に１０〜７０重量％の量で行い、次いで(ｄ)の添加を行い、次いで(ｂ)の計量添加を、計量導入する(ｂ)の合計量を基準に３０〜９０重量％の量で行う［１］に記載の方法。
［１３］(ｅ)が、１５０〜１１５０ｍｇＫＯＨの範囲内のＯＨ価を有する［１］に記載の方法。
［１４］(ｅ)が、２００〜１０００ｍｇＫＯＨの範囲内のＯＨ価を有する［１］に記載の方法。
［１５］第２のポリエーテルエステルポリオール(ｅ)が、第１のポリエーテルエステルポリオールと同一である［１］に記載の方法。
［１６］［１］に記載の方法によって製造したポリエーテルエステルポリオール。
［１７］ポリエーテルエステルポリオールが、最初に添加した成分(ａ)の量を基準に、１.０重量％までの成分(ａ)を含有する［１６］に記載のポリエーテルエステルポリオール。
［１８］(１)［１］に記載の方法によって得られた少なくとも１つのポリエーテルエステルポリオールおよび所望によりさらなるイソシアネート反応性成分、(２)少なくとも１つの有機ポリイソシアネートから、(３)所望により少なくとも１つの発泡剤の存在下に、(４)所望により少なくとも１つの触媒の存在下に、および(５)所望によりさらなる添加剤の存在下に製造した固体または発泡ポリウレタン材料。
【手続補正２】
【補正対象書類名】特許請求の範囲
【補正対象項目名】全文
【補正方法】変更
【補正の内容】
【特許請求の範囲】
【請求項１】
Zerewitinoff活性水素原子を有する開始化合物(ａ)を、少なくとも１つのアルキレンオキシド(ｂ)と、第三アミンおよび所望により置換されたイミダゾールからなる群から選択される少なくとも１つのアミン(ｃ)の存在下および少なくとも１つの脂肪酸エステル(ｄ)の存在下に反応させることを含んでなる、第１のポリエーテルエステルポリオールの製造方法であって、
(ｄ)を、(ｂ)の計量添加前、添加中または添加後に添加し、成分(ｂ)の計量添加前に、第２のポリエーテルエステルポリオール(ｅ)を、成分(ａ)、(ｂ)、(ｃ)、(ｄ)および(ｅ)の合計重量を基準に３.０〜２０.０重量％の量で、成分(ａ)、(ｃ)および所望により(ｄ)と混合する方法。
【請求項２】
(ａ)が、サッカロース、ペンタエリトリトール、ソルビトール、トリメチロールプロパン、ビスフェノールＦ、ビスフェノールＡ、１,３,５-トリヒドロキシベンゼン、ジアミノトルエンの異性体、ジアミノジフェニルメタンの異性体、ホルムアルデヒドとフェノール、メラミンまたは尿素のメチロール基含有縮合生成物、およびマンニッヒ塩基からなる群から選択される請求項１に記載の方法。
【請求項３】
(ｂ)が、エチレンオキシド、プロピレンオキシド、１,２-ブチレンオキシド、２,３-ブチレンオキシド、およびスチレンオキシドからなる群から選択される請求項１に記載の方法。
【請求項４】
(ｃ)が、Ｎ,Ｎ-ジメチルベンジルアミン、ジメチルアミノエタノール、ジメチルアミノプロパノール、Ｎ-メチルジエタノールアミン、トリメチルアミン、Ｎ,Ｎ-ジメチルシクロヘキシルアミン、Ｎ-メチルピロリジン、Ｎ,Ｎ,Ｎ',Ｎ'-テトラメチルエチレンジアミン、ジアザビシクロ[２,２,２]オクタン、１,４-ジメチルピペラジン、Ｎ-メチルモルホリン、未置換イミダゾール、およびアルキル置換されたイミダゾール誘導体からなる群から選択される請求項１に記載の方法。
【請求項５】
(ｄ)を、綿実油、落花生油、ヤシ油、アマニ油、パーム核油、オリーブ油、コーン油、パーム油、ヒマシ油、レスケレッラ油、ナタネ油、ダイズ油、ジャトロファ油、ヒマワリ油、ニシン油、イワシ油、または獣脂の形態で使用する請求項１に記載の方法。
【請求項６】
第２のポリエーテルエステルポリオール(ｅ)が、第１のポリエーテルエステルポリオールと同一である請求項１に記載の方法。
【請求項７】
請求項１に記載の方法によって製造したポリエーテルエステルポリオール。
【請求項８】
(１)請求項１に記載の方法によって得られた少なくとも１つのポリエーテルエステルポリオールおよび所望によりさらなるイソシアネート反応性成分、(２)少なくとも１つの有機ポリイソシアネートから、(３)所望により少なくとも１つの発泡剤の存在下に、(４)所望により少なくとも１つの触媒の存在下に、および(５)所望によりさらなる添加剤の存在下に製造した固体または発泡ポリウレタン材料。